(57)【特許請求の範囲】
【請求項１】
人体に装着して生体情報を測定する生体情報測定装置であって、
前記生体情報を測定する生体情報センサー部と、前記生体情報センサー部を収容し、気密に封止された凹部が設けられた装置本体と、一方が前記生体情報センサー部に支持され他方が前記装置本体に支持された保持部とを備え、
前記保持部は、弾性を有し、前記生体情報センサー部の少なくとも一部が前記装置本体から外側に突出するように前記凹部との間に空間を有して前記生体情報センサー部を保持し、前記生体情報センサー部に加わる外力によって生じる第1の押圧力と、前記凹部の内圧力により生じる第2の押圧力とによって、弾性変形することを特徴とする生体情報測定装置。
【請求項２】
請求項１に記載の生体情報測定装置において、前記生体情報センサー部が光センサーを
備えてなることを特徴とする生体情報測定装置。
【請求項３】
請求項１または２に記載の生体情報測定装置において、前記生体情報測定装置が人体の
腕に装着可能に構成されていることを特徴とする生体情報測定装置。
【請求項４】
請求項１〜３のいずれか一項に記載の生体情報測定装置において、前記生体情報センサ
ー部及び前記保持部が防水性を有し、前記装置本体内部が気密に封止されていることを特
徴とする生体情報測定装置。
【請求項５】
請求項４に記載の生体情報測定装置において、前記装置本体内部と外気との通気を可能
とする通気部を有することを特徴とする生体情報測定装置。
【請求項６】
請求項５に記載の生体情報測定装置において、前記通気部がねじ部を備え、回転に伴う
前記ねじ部の進退により前記通気及び前記封止が行われるように構成されていることを特
徴とする生体情報測定装置。
【請求項７】
請求項１〜６のいずれかの一項記載の生体情報測定装置において、
前記凹部には押さえ部が設けられ、前記生体情報センサー部に加わる外力に応じて弾性変形するときに、前記生体情報センサー部が前記押さえ部に接触することで変位量が規制されることを特徴とする、生体情報測定装置。
【発明の詳細な説明】
【技術分野】
【０００１】
本発明は、生体情報センサーを用いて生体情報を測定する生体情報測定装置に関する。
【背景技術】
【０００２】
近年においては、健康志向が高まり、運動を行う人口が増加すると共に、過度な運動による障害などの事故が頻発することによって、安心安全を個人で確保するべく、脈拍、血圧などの生体情報を手軽に測定できる生体情報測定装置のニーズが高まってきている。
このニーズに応えるべく、特許文献１には、腕時計状の装置本体と、装置本体を腕に装着するためのリストバンドとを備え、ユーザーの腕に装着されて用いられる脈拍測定装置（以下、生体情報測定装置という）が開示されている。
【先行技術文献】
【特許文献】
【０００３】
【特許文献１】特開２００４−２９８６０６号公報（図１、図２）
【発明の概要】
【発明が解決しようとする課題】
【０００４】
特許文献１の生体情報測定装置は、脈波センサー（以下、生体情報センサー部という）が装置本体の裏蓋に固定され、装置本体がユーザーの手首に装着されることにより、生体情報センサー部によって手首における生体情報（脈拍）が測定される。
これにより、上記生体情報測定装置は、ユーザーの手首の動きが殆どない安静時の生体情報測定において、生体情報センサー部と手首との接触状態に変化がないことから、安定した状態で生体情報測定することが可能となり、生体情報を正確に測定することができる。
【０００５】
しかしながら、上記生体情報測定装置は、ユーザーの手首の動きが大きい運動時などの生体情報測定において、手首の動きに起因する装置本体のずれや厚み方向の傾き（以下、単に傾きともいう）などにより、装置本体に固定されている生体情報センサー部と手首との接触状態が頻繁に変化し易いことから、不安定な状態で生体情報測定することになり、生体情報を正確に測定することが困難となる虞がある。
【課題を解決するための手段】
【０００６】
本発明は、上記課題の少なくとも一部を解決するためになされたものであり、以下の形態または適用例として実現することが可能である。
【０００７】
［適用例１］本適用例にかかる生体情報測定装置は、人体に装着して生体情報を測定する生体情報測定装置であって、前記生体情報を測定する生体情報センサー部と、前記生体情報センサー部を収容する凹部が設けられた装置本体と、一方が前記生体情報センサー部に支持され他方が前記装置本体に支持された保持部とを備え、前記保持部は、弾性を有し、前記生体情報センサー部の少なくとも一部が前記装置本体から外側に突出するように前記凹部との間に空間を有して前記生体情報センサー部を保持し、前記生体情報センサー部に加わる外力に応じて弾性変形することにより、前記生体情報センサー部が、前記装置本体に対して変位するように構成されていることを特徴とする。
【０００８】
これによれば、生体情報測定装置は、保持部が、生体情報センサー部の少なくとも一部が装置本体から外側に突出するように凹部との間に空間を有して生体情報センサー部を保持し、生体情報センサー部に加わる外力に応じて弾性変形することにより、生体情報センサー部が装置本体に対して変位する。
このことから、生体情報測定装置は、例えば、ユーザーの手首に装着されて使用される場合、生体情報センサー部が装置本体の凹部に入り込むように変位する。
【０００９】
この変位により、生体情報測定装置は、保持部の弾性（可撓性）によって手首に生体情報センサー部が押圧され、手首の動きが大きい運動（例えば、歩行、走行、体操、スポーツなど）時などにおいて、手首の動きに起因した装置本体のずれや傾きなどにより生体情報センサー部に加わる外力を、保持部が弾性変形することで吸収及び緩和し、生体情報センサー部の装置本体に追随した動き（ずれや傾き）を抑制できる。
【００１０】
これにより、生体情報測定装置は、ユーザーの手首の動きが大きい運動時などにおいて、生体情報センサー部と手首との接触状態を、従来と比較して変化し難くすることができる。
この結果、生体情報測定装置は、従来正確な生体情報測定が困難であったユーザーの手首の動きが大きい運動時などにおいても、安定した状態での生体情報測定が可能となることから、生体情報を正確に測定することができる。
【００１１】
［適用例２］上記適用例にかかる生体情報測定装置において、前記生体情報センサー部が光センサーを備えてなることが好ましい。
【００１２】
これによれば、生体情報測定装置は、生体情報センサー部が光センサーを備えてなることから、その特性により、生体情報としての例えば脈拍を正確に測定することができる。
加えて、生体情報測定装置は、生体情報センサー部が、例えば、ユーザーの手首に装着されて使用される場合、保持部によって手首に生体情報センサー部が押圧され、手首の動きが大きい運動時などにおいても、生体情報センサー部と手首との接触状態が良好である。
このことから、生体情報測定装置は、光センサーを備えてなる生体情報センサー部への測定ノイズの要因となる外光の侵入を抑制でき、光センサーの使用において好適な構成となっている。
【００１３】
［適用例３］上記適用例にかかる生体情報測定装置において、前記生体情報測定装置が人体の腕に装着可能に構成されていることが好ましい。
【００１４】
これによれば、生体情報測定装置は、人体の腕に装着可能に構成されていることから、腕時計の装着に近い形態であり、例えば、胸や耳などに装着する場合と比較して、装着に対する抵抗感を緩和できると共に、長時間の携帯や常時携帯も可能となる。
【００１５】
［適用例４］上記適用例にかかる生体情報測定装置において、前記生体情報センサー部及び前記保持部が防水性を有し、前記装置本体内部が気密に封止されていることが好ましい。
【００１６】
これによれば、生体情報測定装置は、生体情報センサー部及び保持部が防水性を有し、装置本体内部が気密に封止されていることから、生体情報センサー部及び保持部からの入水に起因する装置本体内部の不具合発生を回避できる。
加えて、生体情報測定装置は、例えば、ユーザーの手首に装着されて使用される場合、装着時に加わる外力により、生体情報センサー部が装置本体の凹部に入り込むように変位する。
このとき、生体情報測定装置は、装置本体内部の空気が圧縮されることから、装置本体内部の圧力が高くなり、この圧力が反力として生体情報センサー部及び保持部に働くことで、ユーザーの手首に保持部の弾性力以上の押圧力が加わる。
この結果、生体情報測定装置は、より安定した状態での生体情報測定が可能となることから、生体情報をより正確に測定することができる。
【００１７】
［適用例５］上記適用例４にかかる生体情報測定装置において、前記装置本体内部と外気との通気を可能とする通気部を有することが好ましい。
【００１８】
これによれば、生体情報測定装置は、装置本体内部と外気との通気を可能とする通気部を有することから、標高の変化を伴う移動時などに発生する装置本体内部と外部との圧力差を、通気部によって通気し解消することができる。
この結果、生体情報測定装置は、例えば、ユーザーの手首に装着されて使用される場合、周囲の気圧などに影響されることなく、通気部により常に適正な押圧力をユーザーの手首に加えることができる。
したがって、生体情報測定装置は、常に安定した状態での生体情報測定が可能となることから、生体情報を常に正確に測定することができる。
【００１９】
［適用例６］上記適用例５にかかる生体情報測定装置において、前記通気部がねじ部を備え、回転に伴う前記ねじ部の進退により前記通気及び前記封止が行われるように構成されていることが好ましい。
【００２０】
これによれば、生体情報測定装置は、通気部がねじ部を備え、回転に伴うねじ部の進退により通気及び封止が行われるように構成されていることから、ねじ部を回転させるだけで装置本体内部と外気との通気及び装置本体内部の封止を容易に行うことができる。
【図面の簡単な説明】
【００２１】
【図１】本実施形態の脈拍計の外観構成を示す模式外観図。
【図２】図１（ａ）のＡ−Ａ線での断面図。
【図３】脈拍計が手首に装着されている状態を示す模式要部断面図。
【図４】脈拍センサー部の変位量と押圧力との関係の一例を示したグラフ。
【図５】変形例の脈拍計の模式要部断面図。
【図６】変形例の脈拍センサー部の変位量と押圧力との関係の一例を示したグラフ。
【発明を実施するための形態】
【００２２】
以下、本発明を具体化した実施形態について図面に基づいて説明する。
【００２３】
（実施形態）
図１は、本実施形態の生体情報測定装置としての脈拍計の外観構成を示す模式外観図である。図１（ａ）は、データ表示窓部側から見た平面図であり、図１（ｂ）は、裏蓋側から見た平面図である。図２は、図１（ａ）のＡ−Ａ線での断面図である。なお、図１（ａ）では、データ表示を省略してある。
【００２４】
図１、図２に示すように、脈拍計１は、腕時計型に形成され、人体の腕１０に装着可能であって、手首１１に装着して用いられる構成となっている。
脈拍計１は、生体情報としての脈拍を測定する生体情報センサー部としての脈拍センサー部６と、装置本体としてのヘッド部３と、ヘッド部３に取り付けられヘッド部３を手首１１に装着するための一対のリストバンド７と、一方が脈拍センサー部６に支持され、他方がヘッド部３に支持された保持部５とを備えている。
【００２５】
ヘッド部３は、ケース３０と、モジュール２と、裏蓋３１と、裏蓋止めねじ３１ａとを備えている。ケース３０及び裏蓋３１には、クラックの発生し難いナイロン系の樹脂などが用いられている。
ケース３０の裏蓋３１側には、凹部３０ｂが形成され、この凹部３０ｂにモジュール２が収納され、裏蓋３１が凹部３０ｂを覆うようにして、金属製の裏蓋止めねじ３１ａにより固定されている。
【００２６】
ケース３０は、脈拍測定データなどを表示するためのデータ表示窓部３０ａが裏蓋３１側の反対側に形成され、脈拍測定データなどを表示する表示パネル２１を、データ表示窓部３０ａから視認可能に構成されている。
また、データ表示窓部３０ａには、透明樹脂や透明ガラスなどから形成されたカバー体３２が嵌め込まれ、このカバー体３２によりモジュール２の表示パネル２１が保護されている。カバー体３２の外周下部には、後述する操作ボタン８の機能などが印刷された枠状の飾り板３３が配置されている。
【００２７】
さらに、ケース３０には、例えば、脈拍測定データを表示する脈拍測定モードから、現在時刻などを表示する通常モードや時刻修正を行う時刻修正モードなどへのモード変更、照明点灯などの各種指示を行うための操作ボタン８が複数設けられている。
加えて、ケース３０には、脈拍計１の電源となる電池９への充電の際に用いられる一対の充電端子８ａが設けられている。
裏蓋３１には、厚み方向に貫通する貫通孔３１ｂが形成され、ケース３０の凹部３０ｂと共に脈拍センサー部６を収容するヘッド部３の凹部としての機能を果たしている。
【００２８】
脈拍センサー部６は、平面形状が円形の略円盤状に形成されている。脈拍センサー部６は、透明ガラスなどから形成されたカバー体３５が嵌め込まれたセンサー枠３４に脈拍センサー６０が組み込まれ、センサー押さえ３８などを介してねじ３９により固定されている。
なお、ユーザーの手首１１に押圧されるセンサー枠３４には、皮膚への刺激が少ないチタンなどの金属材料が用いられている。また、センサー枠３４は、金属材料を用いることにより人体へのアース機能を備えている。
脈拍センサー部６は、後述する保持部５が取り付けられることにより外部へ露出する部分が防水性を有している。
【００２９】
脈拍センサー６０は、光センサーであって、センサーケース６１と、発光素子及び受光素子が実装されたセンサー基板６２と、集光ミラー６３とを備えている。
センサー基板６２は、ポリイミド系の樹脂などを用いたフレキシブル基板であって、後述するモジュール２のコネクター２４と接続されている。
【００３０】
脈拍センサー６０は、ＬＥＤ（Ｌｉｇｈｔ  Ｅｍｉｔｔｉｎｇ  Ｄｉｏｄｅ）などの発光素子からユーザーの手首１１に向けて照射され手首１１の血管で反射された光を、集光ミラー６３で集光し、フォトダイオードなどの受光素子で受光する。
この際、脈拍センサー６０は、血管の拡張時と収縮時とで光の反射率が異なる現象を利用してユーザーの脈拍を測定する。
このことから、脈拍センサー部６は、測定ノイズとなる外光が脈拍センサー６０の受光素子で受光されないように、手首１１に押圧されていることが好ましく、手首１１に密着していることがより好ましい。
【００３１】
保持部５は、弾性を有し、平面形状が幅広のリング状に形成されている（図１（ｂ）参照）。
保持部５は、一方としての内周側の縁部が略オーリング状に形成され、脈拍センサー部６のセンサー枠３４とセンサー押さえ３８との間で圧縮されて挟持された状態で支持され、他方としての外周側の縁部が同様に略オーリング状に形成され、裏蓋３１と保持部押さえ３７との間で圧縮されて挟持された状態で支持されている。
【００３２】
保持部５は、脈拍センサー部６の少なくとも一部が裏蓋３１から外側（手首１１側）に突出するように、内周側の縁部と外周側の縁部との間が外側に向かってすり鉢状に傾斜して形成されて、脈拍センサー部６を保持している。
なお、脈拍センサー部６の裏蓋３１からの突出量Ｈとしては、手首１１に対する適正な押圧力の確保及び脈拍センサー部６のヘッド部３に追随した動きを抑制するために、例えば、１．５ｍｍ程度が好ましい。
これにより、脈拍計１は、手首１１に装着されたときに保持部５の弾性力によって、脈拍センサー部６が適正な押圧力で手首１１に押圧される。
【００３３】
なお、保持部５には、腕時計などの防水パッキン材として用いられるニトリルブタジエンゴム（ＮＢＲ：Ｎｉｔｒｉｌ  Ｂｕｔａｄｉｅｎｅ  Ｒｕｂｂｅｒ）などの合成ゴムが用いられ、保持部５は、脈拍センサー部６と共に防水性を有している。
また、保持部５は、フッ素系の添加剤により低温時における硬度の上昇が抑制され、弾性力の温度依存性が緩和されている。
なお、保持部５には、上記合成ゴム以外のエラストマーを用いてもよい。保持部５の動作などの詳細については、後述する。
【００３４】
脈拍計１は、ケース３０とケース３０に組み込まれる上記各構成要素との間に防水性を有するパッキンなどの封止部材が介在し、裏蓋３１の貫通孔３１ｂと脈拍センサー部６との間が保持部５で防水されていることなどにより、ヘッド部３の内部が気密に封止されている。
一方、脈拍計１は、気密に封止されたヘッド部３の内部と外気との通気を可能とする通気部４が、ケース３０に設けられている。
【００３５】
通気部４は、ねじ部４０ａ（おねじ）を有したねじピン４０と、ねじ部４２ａ（めねじ）を有した内輪４２と、ガスケット４１とを備えている。
通気部４は、ケース３０の径方向に沿って設けられた段付き貫通孔３０ｃに、凹部３０ｂ側から金属製の内輪４２が挿入されている。そして、通気部４は、ニトリルブタジエンゴムなどを用いてリング状に形成されたガスケット４１が組み込まれたねじピン４０が、ケース３０の外側から段付き貫通孔３０ｃに挿入され、ねじピン４０のねじ部４０ａと内輪４２のねじ部４２ａとが螺合されている。
通気部４は、回転に伴うねじピン４０の矢印Ｂ方向の進退（移動）により、ガスケット４１がねじピン４０とケース３０との間で圧縮及び復元（圧縮解除）されることで、ヘッド部３の内部と外気との通気及びヘッド部３の内部の封止（外気との遮断）が行われる。
【００３６】
なお、ねじピン４０の頭部には、コインなどを挿入可能なマイナス溝４０ｂが形成されている。また、内輪４２及び段付き貫通孔３０ｃの内輪４２挿入部には、一部を異形状にするなどの回転止めの加工が施されており、ねじピン４０の回転に連動した内輪４２の回転が回避されている。
また、ねじピン４０を緩める方向の回転に伴う内輪４２のケース３０内側への移動は、モジュール２がストッパーとなることや、内輪４２の段付き貫通孔３０ｃへの締め代による圧入などで回避される。
【００３７】
図２に示すように、モジュール２は、表示パネル２１と、照明用のＥＬ（Ｅｌｅｃｔｒｏ  Ｌｕｍｉｎｅｓｃｅｎｃｅ）パネル２２と、回路基板２３と、パネル枠２５と、回路ケース２６と、回路押さえ２７と、電池９とを備えている。
回路基板２３には、一方の面２３ａに表示パネル２１、ＥＬパネル２２などを案内するパネル枠２５が配置され、他方の面２３ｂに電池９などを案内する回路ケース２６が配置されている。
【００３８】
積層されたパネル枠２５、回路基板２３、回路ケース２６は、回路押さえ２７の板状の本体が回路ケース２６の裏蓋３１側に配置され、回路押さえ２７の本体の外周部から回路ケース２６の側面に沿って延在し、パネル枠２５まで延びる複数の図示しない腕部が、パネル枠２５の側面に係止することによって一体化されている。
なお、積層されたパネル枠２５、回路基板２３、回路ケース２６、回路押さえ２７は、ねじ止めによって一体化されていてもよい。
【００３９】
なお、回路基板２３には、ガラス繊維入りのエポキシ樹脂系の基板などが用いられ、両面に銅箔などからなる配線パターンが形成されている。また、パネル枠２５、回路ケース２６には、ポリカーボネートなどの樹脂が用いられ、回路押さえ２７には、ステンレス鋼などの金属板が用いられている。
【００４０】
回路基板２３には、脈拍センサー６０を駆動し脈拍を測定する回路、表示パネル２１を駆動する回路、各回路を制御する回路などを構成する素子２３ｃが実装されている。
回路基板２３は、一方の面２３ａに表示パネル２１との接続用電極が形成され、表示パネル２１の電極と図示しないコネクターを介して導通されている。
表示パネル２１には、液晶パネルなどの表示部材が用いられ、各モードに応じて脈拍数などの脈拍測定データや、現在時刻などの時刻情報などが表示される。
ＥＬパネル２２は、表示パネル２１とパネル枠２５との間に配置され、回路基板２３と接続されることで、ユーザーの所定の操作ボタン８の操作により点灯し、表示パネル２１を照明する。
【００４１】
回路基板２３には、他方の面２３ｂに脈拍センサー６０のセンサー基板６２と接続されるコネクター２４が配置されている。コネクター２４は、挿入部にセンサー基板６２の先端部が挿入され、回路基板２３とセンサー基板６２とを電気的に接続している。
これにより、センサー基板６２は、脈拍センサー６０を駆動し脈拍を測定する回路と電気的に接続される。
なお、センサー基板６２は、脈拍センサー部６が裏蓋３１に取り付けられた状態でもコネクター２４への挿抜作業が容易に行える長さで形成され、裏蓋３１がケース３０に取り付けられる際には、折り畳むようにして収納される。
【００４２】
回路ケース２６に案内された電池９には、充電可能なボタン型のリチウム二次電池が用いられている。電池９は、両極の端子が回路基板２３に接続され、電源を制御する回路へ電源を供給する。
電源は、この回路で所定の電圧に変換されるなどして各回路へ供給され、脈拍センサー６０を駆動し脈拍を検出する回路、表示パネル２１を駆動する回路、各回路を制御する回路などを動作させる。
電池９の充電は、コイルばねなどの導通部材により回路基板２３と導通された一対の充電端子８ａを介して行われる。
なお、電池９には、充電が不要な一次電池を用いてもよい。
【００４３】
ここで、保持部５の動作について詳述する。
図３は、脈拍計が手首に装着されている状態を示す模式要部断面図である。図３（ａ）は、ヘッド部が手首に密着している状態を示す断面図であり、図３（ｂ）は、ヘッド部の一部が手首から離れている状態を示す断面図である。なお、図中の２点鎖線は、変位前の脈拍センサー部の要部を示す。
【００４４】
図３に示すように、脈拍計１は、手首１１に装着されたときに脈拍センサー部６が、手首１１に押圧されている。
詳述すると、図３（ａ）に示すように、脈拍計１は、ヘッド部３が手首１１の平坦部に位置している場合には、リストバンド７（図１参照）を手首１１に巻いて締め付けることで加わる外力により、保持部５が弾性変形し、脈拍センサー部６が、裏蓋３１の貫通孔３１ｂ内に入り込むように矢印Ｃ方向に略平行移動（変位）する。
脈拍計１は、このときの保持部５の弾性力などにより、脈拍センサー部６が手首１１に押圧されて密着する。
これにより、脈拍計１は、脈拍センサー部６と手首１１との接触状態が安定した状態に保持される。
【００４５】
一方、図３（ｂ）に示すように、脈拍計１は、運動などによる手首１１の動きに起因して、ヘッド部３が手首１１の平坦部からずれたり、厚み方向に傾いたりしてヘッド部３の一部が手首１１から離れる場合がある。
この場合でも、脈拍計１は、ヘッド部３の動きに応じて保持部５が弾性変形し、脈拍センサー部６がヘッド部３に対して厚み方向の回転を伴って矢印Ｄ方向に変位することで、脈拍センサー部６が手首１１に押圧されて密着している状態が維持される。
これにより、脈拍計１は、ヘッド部３の一部が手首１１から離れた場合でも、脈拍センサー部６と手首１１との接触状態が安定した状態に保持される。
【００４６】
換言すれば、脈拍計１は、手首１１の動きに起因したヘッド部３のずれや傾きなどにより脈拍センサー部６に加わる外力を、保持部５が弾性変形することで吸収及び緩和し、脈拍センサー部６のヘッド部３に追随した動き（手首１１からの浮き上がり）を抑制する。
なお、脈拍センサー部６の変位量は、センサー押さえ３８が保持部押さえ３７に当接することで規制され、脈拍センサー部６と他の構成要素との干渉が回避されている。
【００４７】
ここで、手首１１に対する脈拍センサー部６の押圧力について説明する。
脈拍センサー部６の押圧力は、脈拍測定時の脈拍センサー６０の出力信号レベルに関係し、所定の出力信号レベル（例えば、脈拍センサー６０の出力信号が１Ｖ以上）を安定して得るためには、約０．５Ｎ以上が好ましい。
一方、脈拍計１は、脈拍センサー部６の押圧力が、約３Ｎを超えると手首１１の血管を圧迫し、血流が阻害されて所定の出力信号レベルを得ることが困難となり、脈拍を正確に測定できない虞がある。
これらのことから、手首１１に対する脈拍センサー部６の押圧力は、約０．５Ｎ〜約３Ｎの範囲に設定されることが好ましい。
【００４８】
また、脈拍センサー部６の押圧力は、脈拍センサー部６の変位量の多寡に関係なく略一定であることが、脈拍をより正確に測定する上で好ましい。
図４は、脈拍センサー部の変位量と押圧力との関係の一例を示したグラフである。縦軸は押圧力を示し、横軸は厚み方向（図３の矢印Ｃ方向）の変位量を示す。
図４の曲線Ｅは、脈拍センサー部６の押圧力を表し、曲線Ｆは、保持部５の弾性力を表し、曲線Ｇは、気密に封止されたヘッド部３の内部の圧力を表す。
【００４９】
図４に示すように、脈拍センサー部６の押圧力（曲線Ｅ）は、保持部５の弾性力（曲線Ｆ）にヘッド部３の内部の圧力（曲線Ｇ）が加えられた値となっている。
保持部５の弾性力は、その形状に起因する特性により、変位量が０ｍｍ〜１ｍｍ程度までは変位量に略比例して増加し、それ以降は徐々に減少していく。
一方、気密に封止されたヘッド部３の内部の圧力は、脈拍センサー部６が裏蓋３１の貫通孔３１ｂ内へ入り込む変位量に略比例して内部の空気の圧縮率が高まることにより増加していく。
【００５０】
これらにより、脈拍センサー部６の押圧力は、保持部５の弾性力の減少分を、ヘッド部３の内部の圧力増加によって補うように設定されている。
この結果、脈拍センサー部６の押圧力は、脈拍センサー部６の変位量が通常使用で想定される範囲（例えば、１ｍｍ弱〜１．５ｍｍ強）において、略一定の値（３Ｎ弱）に収まっている。
【００５１】
上述したように、本実施形態の脈拍計１は、保持部５が、弾性を有し、脈拍センサー部６の少なくとも一部が裏蓋３１から外側（手首１１側）に突出するように、裏蓋３１の貫通孔３１ｂ及びケース３０の凹部３０ｂとの間に空間を有して脈拍センサー部６を保持している。
そして、脈拍計１は、保持部５が脈拍センサー部６に加わる外力に応じて弾性変形することにより、脈拍センサー部６がヘッド部３に対して裏蓋３１の貫通孔３１ｂ内（ケース３０の凹部３０ｂ内）に入り込むように変位する。
【００５２】
これにより、脈拍計１は、ユーザーの手首１１に装着されて使用される場合、保持部５によって脈拍センサー部６が手首１１に押圧されて密着する。
そして、脈拍計１は、手首１１の動きが大きい運動時などにおいても、手首１１の動きに起因したヘッド部３のずれや傾きなどにより脈拍センサー部６に加わる外力を、保持部５が弾性変形することで吸収及び緩和する。
この結果、脈拍計１は、脈拍センサー部６のヘッド部３に追随した動きが抑制されることから、脈拍センサー部６の手首１１からの浮き上がりを回避できる。
【００５３】
これにより、脈拍計１は、ユーザーの手首１１の動きが大きい運動時などにおいて、従来と比較して脈拍センサー部６と手首１１との接触状態を変化し難くすることができる。
この結果、脈拍計１は、従来正確な脈拍測定が困難であったユーザーの手首１１の動きが大きい運動時などにおいても、安定した状態での脈拍測定が可能となることから、脈拍を正確に測定することができる。
【００５４】
また、脈拍計１は、脈拍センサー部６の脈拍センサー６０に光センサーが用いられていることから、その特性に合致する血管の拡張時と収縮時とで光の反射率が異なる現象を利用して、脈拍を正確に測定することができる。
加えて、脈拍計１は、脈拍センサー部６が、ユーザーの手首１１に装着されて使用される場合、保持部５によって脈拍センサー部６が手首１１に押圧され、手首１１の動きが大きい運動時などにおいても、脈拍センサー部６と手首１１との接触状態が良好である。
このことから、脈拍計１は、光センサー（脈拍センサー６０）を備えてなる脈拍センサー部６への測定ノイズの要因となる外光の侵入を抑制でき、光センサーの使用において好適な構成となっている。
【００５５】
また、脈拍計１は、人体の腕１０の手首１１に装着可能に構成されていることから、腕時計の装着と同様の形態であり、例えば、胸や耳などに装着する場合と比較して、装着に対する抵抗感を緩和できる。
加えて、脈拍計１は、上記のように装着に対する抵抗感を緩和できることから、ユーザーに長時間の携帯や常時携帯をさせることも可能となる。
【００５６】
また、脈拍計１は、脈拍センサー部６及び保持部５が防水性を有し、ヘッド部３の内部が気密に封止されていることから、脈拍センサー部６及び保持部５からの入水に起因するヘッド部３の内部の不具合発生を回避できる。
加えて、脈拍計１は、ユーザーの手首１１に装着されて使用される場合、装着時に加わる外力により、脈拍センサー部６が押圧され、裏蓋３１の貫通孔３１ｂ内へ入り込むように変位する。
このとき、脈拍計１は、ヘッド部３の内部の空気が圧縮されることから、内部の圧力が高くなり、この圧力が反力として脈拍センサー部６及び保持部５に働くことで、ユーザーの手首１１に保持部５の弾性力以上の押圧力が加わる。
【００５７】
そして、脈拍計１は、このヘッド部３の内部の圧力が保持部５の弾性力の減少を補い、脈拍センサー部６の押圧力を、脈拍センサー部６の変位量が通常使用で想定される範囲（例えば、１ｍｍ弱〜１．５ｍｍ強）において、略一定の値（３Ｎ弱）にすることができる。
この結果、脈拍計１は、より安定した状態での脈拍測定が可能となることから、脈拍をより正確に測定することができる。
なお、脈拍センサー部６及び保持部５のサイズは、両者の変位によるヘッド部３の内部の空気圧縮率なども考慮して適宜設定される。
【００５８】
また、脈拍計１は、ヘッド部３の内部と外気との通気を可能とする通気部４を有することから、例えば、標高の変化を伴う移動時（登山、旅行など）の気圧の変化や、ヘッド部３の内部の温度変化に伴う空気の膨張、収縮などにより発生するヘッド部３の内部と外部との圧力差を、通気部４によって通気することで解消することができる。
この結果、脈拍計１は、通気部４の操作によって、周囲の気圧変化やヘッド部３の内部の温度変化に影響されることなく、常に適正な押圧力をユーザーの手首１１に加えることができる。
【００５９】
例えば、登山などで周囲の気圧が下がった場合、脈拍計１は、相対的にヘッド部３の内部の圧力が高まり、脈拍センサー部６が必要以上に手首１１に押圧され、手首１１の血流が阻害されて所定の出力信号レベルを得ることが困難となり、脈拍を正確に測定できない虞がある。
この際、脈拍計１は、通気部４のねじピン４０を緩める方向に回転させることで、ヘッド部３の内部と外部とが通気され、ヘッド部３の内部と外部との圧力差が解消される。
【００６０】
これにより、脈拍計１は、ヘッド部３の内部の圧力が下がることから、脈拍センサー部６の押圧力を適正な範囲内に収めることができる。
したがって、脈拍計１は、手首１１の血流を阻害することなく安定した状態での脈拍測定が可能となることから、脈拍を正確に測定することができる。
【００６１】
なお、高所で通気してヘッド部３の内部を封止後、下山した際には、ヘッド部３の内部の圧力が周囲の圧力より低くなっていることから（負圧状態）、その分脈拍センサー部６の押圧力が低くなる虞がある。
これに対しても、脈拍計１は、通気部４によって再度通気して、ヘッド部３の内部と外部との圧力差を解消し、ヘッド部３の内部の圧力を上げることで脈拍センサー部６の押圧力を適正な範囲内に収めることができる。
【００６２】
加えて、脈拍計１は、通気部４がねじ部４０ａを有したねじピン４０を備え、回転に伴うねじピン４０（ねじ部４０ａ）の進退により、ガスケット４１がねじピン４０とケース３０との間で圧縮及び復元（圧縮解除）されることで、ヘッド部３の内部と外気との通気及びヘッド部３の内部の封止が行われる。
このことから、脈拍計１は、ねじピン４０を回転させるだけでヘッド部３の内部と外気との通気及びヘッド部３の内部の封止を容易に行うことができる。
また、脈拍計１は、ねじピン４０の頭部にコインなどを挿入可能なマイナス溝４０ｂが形成されていることから、専用工具などを用いることなく身近にあるコインなどを用いて、ねじピン４０を回転させることで手軽に通気部４の操作を行うことができる。
【００６３】
（変形例）
ここで、上記実施形態の変形例について図面に基づいて説明する。
図５は、変形例の脈拍計の模式要部断面図である。なお、断面位置は、図２の断面位置と同じである。また、上記実施形態との共通部分については、同一符号を付して説明を省略し、上記実施形態と異なる部分を中心に説明する。
【００６４】
図５に示すように、変形例の脈拍計１０１は、脈拍センサー部１０６のセンサー枠１３４の外周の側面に、脈拍センサー部１０６の径方向に突出するつば部１３４ａが形成されている。
一方、裏蓋１３１には、平面視において、このつば部１３４ａと重なり、脈拍センサー部１０６の裏蓋１３１から外側への突出量を規制する規制部１３１ｃが形成されている。
脈拍センサー部１０６は、この規制部１３１ｃがなければ図５の２点鎖線で示した位置まで突出するように、保持部５によって保持されている。
【００６５】
つまり、脈拍センサー部１０６は、裏蓋１３１に取り付けられる際に、つば部１３４ａが規制部１３１ｃに当接して、裏蓋１３１から外側への突出量が規制される。
これにより、脈拍センサー部１０６は、裏蓋１３１に取り付けられた時点で保持部５が弾性変形し（たわみ）、２点鎖線で示した位置からケース３０側に変位量Ｊだけ変位しており、この変位量Ｊ（以下、初期たわみＪともいう）分、すでに押圧力が発生していることになる。
【００６６】
これにより、図６の脈拍センサー部の変位量と押圧力との関係の一例を示したグラフに示すように、脈拍計１０１は、初期たわみＪを設けることで、脈拍センサー部１０６の変位量が少ない場合（例えば、０．５ｍｍ以下）でも、手首１１に対して十分な押圧力（２Ｎ強〜３Ｎ弱）を加えることができる。
これにより、脈拍計１０１は、上記実施形態と比較して、より安定した状態での脈拍測定が可能となることから、脈拍をより正確に測定することができる。
【００６７】
また、脈拍計１０１は、脈拍センサー部１０６のつば部１３４ａが規制部１３１ｃに押圧され、両者間に隙間ができないことから、つば部１３４ａ及び規制部１３１ｃが脈拍センサー部１０６の全周に亘って形成されることにより、上記実施形態と比較して、保管時などにおいて裏蓋１３１と脈拍センサー部１０６との隙間からゴミなどの異物が侵入することを回避できる。
これにより、脈拍計１０１は、ゴミなどの異物の侵入による不具合の発生を回避できる。
【００６８】
なお、上記実施形態及び変形例では、生体情報測定装置として脈拍計を例に挙げて説明したが、これに限定するものではなく、生体情報としての血圧を測定する血圧計などにも適用できる。
なお、脈拍計１，１０１は、脈拍センサー部６，１０６の小型化、保持部５の小型化などに伴うヘッド部３の内部の空気圧縮率の低下に対して、例えば、モジュール２に備えたコイルばねなどの弾性部材で脈拍センサー部６，１０６を手首１１側へ押圧することにより、脈拍センサー部６，１０６の押圧力を増加させることが可能である。
【符号の説明】
【００６９】
１…生体情報測定装置としての脈拍計、２…モジュール、３…装置本体としてのヘッド部、４…通気部、５…保持部、６…生体情報センサー部としての脈拍センサー部、７…リストバンド、８…操作ボタン、８ａ…充電端子、９…電池、１０…腕、１１…手首、２１…表示パネル、２２…ＥＬパネル、２３…回路基板、２３ａ…一方の面、２３ｂ…他方の面、２３ｃ…素子、２４…コネクター、２５…パネル枠、２６…回路ケース、２７…回路押さえ、３０…ケース、３０ａ…データ表示窓部、３０ｂ…ヘッド部の凹部としての凹部、３０ｃ…段付き貫通孔、３１…裏蓋、３１ａ…裏蓋止めねじ、３１ｂ…ヘッド部の凹部としての貫通孔、３２…カバー体、３３…飾り板、３４…センサー枠、３５…カバー体、３７…保持部押さえ、３８…センサー押さえ、３９…ねじ、４０…ねじピン、４０ａ…ねじ部、４０ｂ…マイナス溝、４１…ガスケット、４２…内輪、４２ａ…ねじ部、６０…脈拍センサー、６１…センサーケース、６２…センサー基板、６３…集光ミラー、１０１…脈拍計、１０６…脈拍センサー部、１３１…裏蓋、１３１ｃ…規制部、１３４…センサー枠、１３４ａ…つば部。
【図１】
0005531577.tif 000002
【図２】
0005531577.tif 000003
【図３】
0005531577.tif 000004
【図４】
0005531577.tif 000005
【図５】
0005531577.tif 000006
【図６】
0005531577.tif 000007